(57)【特許請求の範囲】
【請求項１】
顔全面を被覆し、目、鼻及び口部分に開口部を有する美容用フェイスマスクであって、少なくとも２枚のシート材からなり、該シート材同士が部分的に重なり合うように上下に配置されており、該シート材同士が左右両端部付近でのみ接合されてなる、美容用フェイスマスク。
【請求項２】
前記シート材に、立体形成手段が部分的に配置され、それによりシート材全体が顔面を覆うように立体的に構成されている、請求項１に記載の美容用フェイスマスク。
【請求項３】
化粧料が前記シート材に含浸されている、請求項１又は２に記載の美容用フェイスマスク。
【発明の詳細な説明】
【技術分野】
【０００１】
本発明は、美容用フェイスマスクに関し、詳しくは、美容液や化粧水等の化粧料を含浸させて人の顔面を被覆しうる美容用フェイスマスクに関する。
【背景技術】
【０００２】
従来、美容用フェイスマスクは、平面状のものが用いられている。しかしながら、平面状のフェイスマスクは、顔面の凹凸に全面的に密着させることが困難であり、部分的に顔から浮いて密着不十分な箇所が生じたり、少しの顔面の動きによって剥離したりするという問題がある。
このような問題を解決するために、近年、顔面に密着することができる立体的なフェイスマスクが検討されている（例えば特許文献１及び２を参照）。
【先行技術文献】
【特許文献】
【０００３】
【特許文献１】特開２００７−３３０３２９号公報
【特許文献２】特開２００２−１７２０２２号公報
【発明の概要】
【発明が解決しようとする課題】
【０００４】
一般的に、特許文献１に記載されているような立体的なフェイスマスクは、顔面の左半面及び右半面をそれぞれ被覆する２枚の不織布を、額部分から鼻先部分を経て顎先部分に至る形状に沿うように熱圧着することで製造される。そして、このような立体的なフェイスマスクを使用者が装着する際には、マスクの左右を引っ張りながら顔面に密着させる。
しかしながら、マスクの左右を引っ張ると圧着部分を裂く方向に力がかかるため、特に美容液や化粧水を含浸させたマスクは圧着部分から剥がれてしまい、２枚の不織布に分裂して使用性を損なうことがある。また、前記圧着部分は顔の中心線に沿って形成されているため、使用者が最も手入れすることを望んでいる額及び鼻筋（いわゆるＴゾーン）においてマスクが浮いて密着不十分になり、Ｔゾーンに美容液や化粧水を十分に浸透させることができないことがある。
【０００５】
特許文献２に記載されているような形状が固定された立体的なフェイスマスクでは、前記圧着部分がないため装着時に剥がれて分裂する問題はない。
しかしながら、顔の形や大きさは千差万別であるため、個々の顔に密着させるためには、各種サイズのマスクを用意する必要がある。例えば特許文献２には、デジタルカメラで顔を撮影し、これをコンピュータで画像処理してそれぞれ個人の顔にフィットするマスクを製作できることが記載されているが、汎用性が低く、手間及びコストがかかる。したがって、様々な顔の形や大きさの人、特に面長の人でも確実に密着できるフェイスマスクが望まれる。
【０００６】
本発明の課題は、額及び鼻筋のいわゆるＴゾーンに美容液や化粧水等の化粧料を十分に浸透させることができ、装着時に圧着部が剥がれにくい、美容用フェイスマスクを提供することにある。
【課題を解決するための手段】
【０００７】
すなわち、本発明は、顔全面を被覆し、目、鼻及び口部分に開口部を有する美容用フェイスマスクであって、少なくとも２枚のシート材からなり、該シート材同士が部分的に重なり合うように上下に配置されており、該シート材同士が左右両端部付近でのみ接合されてなる、美容用フェイスマスクを提供する。
【発明の効果】
【０００８】
本発明の美容用フェイスマスクは、シート材同士の接合部を顔の中心線に有しないため、額及び鼻筋のいわゆるＴゾーンに美容液や化粧水等の化粧料を十分に浸透させることができる。また、接合部がシート材の左右両端に位置しているため、装着時には、該接合部を持ってマスクの左右を引っ張ることとなり該接合部が剥がれにくい。また、シート材同士が左右両端の接合部以外では分離しているため、各シート材の位置を上下に微調整できるので、様々な顔の形や大きさの人、特に面長の人が使用しても顔面に密着させることができる。
【図面の簡単な説明】
【０００９】
【図１】図１は、本発明の美容用フェイスマスクの斜視図である。
【発明を実施するための形態】
【００１０】
以下、本発明の好ましい一実施態様について、添付の図面に基づいて詳細に説明する。図１は、本発明の美容用フェイスマスクの斜視図である。
【００１１】
図１に示す美容用フェイスマスク１は、顔全面を被覆するものであり、立体的に形成されている。美容用フェイスマスク１は、目、鼻及び口部分に開口部６（６１、６２及び６３）を有する。開口部６は、完全に開口していなくともよく、一部が結合したスリットであってもよい。特に、目の部分の開口部６１は、まぶたに化粧料を浸透させる観点から、一部が結合した円弧状スリットであることが好ましい。また、鼻の部分の開口部６２は、小鼻に化粧料を浸透させる観点から、一部が結合したスリットであることが好ましい。
【００１２】
美容用フェイスマスク１は、３枚の横長のシート材２、３及び４からなる。図１では、３枚のシート材からなるフェイスマスクが示されているが、少なくとも２枚のシート材からなるものであればシート材の枚数は特に限定されない。
【００１３】
３枚のシート材２、３及び４は、上下に配置されている。３枚のシート材２、３及び４はそれぞれ、顔の上側部（例えば、額及び目の周囲）、顔の中央部（例えば、鼻及び頬の上部）及び顔の下側部（例えば、口、頬の下部及び顎）を被覆する。
【００１４】
各シート材は、顔面に密着するように立体的に構成されていることが好ましい。そのため、各シート材において、立体形成手段が部分的に配置されていることが好ましい。立体形成手段とは例えば、シート材を折り返し重ね合わせ、部分的に接合しマチ７を形成することや、マチを筒状又は袋状の空間を有するように接合し形成すること、またシート材に切れ込み又は切り欠き部を入れることや、それらの裁断端部を部分的に重ね合わせ接合する方法等が挙げられる。また、マチ等の立体形成手段は、図示したように顎先部分や頬部分に形成されていてもよく、目尻からこめかみに至る位置等に形成されていてもよい。
【００１５】
シート材２及び３、並びにシート材３及び４は、それぞれ互いに部分的に重なり合うように配置されている。シート材２、３及び４の重なり方は特に限定されない。図１では、シート材２の下端２１の上にシート材３の上端３１が重なり、シート材３の下端３２の上にシート材４の上端４１が重なっている。また、シート材同士は左右両端部付近５でのみ接合されている。すなわち、シート材同士は、左右両端部以外の部分では分離している。
【００１６】
シート材２、３及び４の材質は、塩化ビニル、ポリウレタン、ポリエステル、ポリエチレン等の化学繊維、綿、毛等の自然繊維、樹脂、ゴム等により構成される編地、織り地、不織布、フィルム、樹脂形成体等、特に限定されないが、成形容易性、化粧料の含浸性及びコストの観点から、不織布が好ましい。シート材２、３及び４の大きさは、各シート材を組み合わせて顔面を被覆できれば特に限定されないが、面長の人が使用する際に各シート材を位置調節した際にも十分に顔面を被覆できる程度の大きさであることが好ましい。各シート材２、３及び４の形状は、面長の人が使用する際にシート材間に隙間が形成されるのを防ぐ観点から、各シート材における縦中央部が幅広に形成されていることが好ましい。例えば、各シート材における縦中央部が凸形状に形成されていてもよい。
【００１７】
シート材同士を接合する手段としては特に限定されないが、熱圧着、ニードルパンチ、縫合等を例示することができる。中でも、製造コストの観点から、熱圧着が好ましい。
【００１８】
本発明のフェイスマスクは、美容液、乳液、化粧水等の化粧料が含浸されていることが好ましい。
【００１９】
本発明のフェイスマスクは、複数のシート材からなり、シート材同士がそれぞれ互いに部分的に重なり合うように配置されて立体的に形成されているため、顔面の凹凸に全面的に密着させることができる。また化粧料の液含みを多くすることができ、さらに顔面に隙間なく密着させることができるようにするため、シート材の重なり部はより大きくすることが好ましい。
【００２０】
また、本発明のフェイスマスクは、シート材同士の接合部がシート材の左右両端部にあるため、装着時にマスクの左右を引っ張っても前記接合部が剥がれにくい。また、額及び鼻筋のいわゆるＴゾーンに沿った接合部を有しないため、該Ｔゾーンにおける密着性に優れ、該Ｔゾーンに美容液や化粧水等の化粧料を十分に浸透させることができる。
【００２１】
また、本発明のフェイスマスクは、シート材同士が左右両端部の接合部以外では分離しているため、各シート材を縦方向に位置調節することができ、様々な顔の形や大きさの人、特に面長の人が使用しても顔面に密着させることができる。
なお、従来の平面状フェイスマスクの中には、上下２枚に完全に分離することで密着性を向上させたものも知られている（例えば、特開２００３−３４１号公報、特開２００４−１３１３８３号公報等を参照）。このように完全に分離しているフェイスマスクに比べて、本発明のフェイスマスクは、装着するときの手間を少なくすることができ、且つ顔面全体を覆うことができるため密着性をより高めることができ、顔面から剥がれ落ちにくい。
【００２２】
以上、本発明をその好ましい一実施態様に基づき説明したが、本発明は前記一実施態様に制限されるものではない。例えば、図１に示した態様は、３枚のシート材からなるマスクであるが、４枚以上のシート材からなるマスクであってもよい。具体的には、目尻より上方の部分を被覆する第１のシート材、目尻より下方かつ鼻の下より上方の部分を被覆する第２のシート材、鼻の下より下方かつ口元より上方の部分を被覆する第３のシート材、及び口元より下方の部分を被覆する第４のシート材のような４枚のシート材が部分的に重なり合うように上下に配置されたものであってもよい。
【産業上の利用可能性】
【００２３】
本発明のフェイスマスクは、美容液や化粧水等の化粧料を含浸させて人の顔面を被覆しうる美容用フェイスマスクとして好適に用いられる。
【符号の説明】
【００２４】
１  美容用フェイスマスク
２  シート材（顔の上側部）
２１  シート材２の下端
３  シート材（顔の中央部）
３１  シート材３の上端
３２  シート材３の下端
４  シート材（顔の下側部）
４１  シート材４の上端
５  接合部
６  開口部
６１  目の開口部
６２  鼻の開口部
６３  口の開口部
７  マチ
【図１】
0005415931.tif 000002